(57)【要約】【課題】服薬指導業務を効率的に行うためのプロブレムリストを作成可能な服薬指導支援システム及び服薬指導支援プログラムを提供すること。【解決手段】服薬指導支援システムは、処方データに基づいて調剤される薬品の服薬に関する複数の確認情報のうち、前記処方データについて複数のチェック項目に関する適否を判定する処方チェックのチェック結果に対応する一又は複数の前記確認情報のみを提示する提示処理部と、前記提示処理部により提示された前記確認情報から選択される一又は複数の前記確認情報を含むリストを出力する出力処理部と、を備える。【選択図】図７
2020160694.tif 000002
【特許請求の範囲】
【請求項１】
処方データに基づいて調剤される薬品の服薬に関する複数の確認情報のうち、前記処方データについて複数のチェック項目に関する適否を判定する処方チェックのチェック結果に対応する一又は複数の前記確認情報のみを提示する提示処理部と、
前記提示処理部により提示された前記確認情報から選択される一又は複数の前記確認情報を含むリストを出力する出力処理部と、
を備える服薬指導支援システム。
【請求項２】
前記処方チェックでは、前記処方データに含まれる薬品の種別、投与量、又は服用時期と、前記薬品の種別、投与量、又は服用時期について予め設定された判定情報と、に基づいて前記チェック項目に関する適否が判定される、
請求項１に記載の服薬指導支援システム。
【請求項３】
前記提示処理部は、前記チェック結果におけるエラー内容と一又は複数の前記確認情報とが対応付けられた対応情報に基づいて、複数の前記確認情報のうち前記処方チェックで発生したエラー内容に対応する一又は複数の前記確認情報のみを提示する、
請求項１又は２に記載の服薬指導支援システム。
【請求項４】
前記エラー内容の種類には、前記処方データに対応する患者に処方されている複数の薬品についての併用禁忌及び併用注意が少なくとも含まれており、
前記提示処理部は、前記エラー内容が前記併用禁忌である場合と前記併用禁忌である場合とにおいて少なくとも一つ以上の異なる前記確認情報を提示する、
請求項３に記載の服薬指導支援システム。
【請求項５】
前記提示処理部により提示される前記確認情報をユーザー操作に応じて編集する編集処理部を更に備え、
前記出力処理部は、前記編集処理部による編集後の前記確認情報を含むリストを出力可能である、
請求項１〜４のいずれかに記載の服薬指導支援システム。
【請求項６】
複数の前記確認情報には、編集可能である第１確認情報と編集可能でない第２確認情報とが含まれ、
前記編集処理部は、前記第１確認情報において予め設定された編集可能領域について編集が可能である、
請求項５に記載の服薬指導支援システム。
【請求項７】
前記第１確認情報は、評価情報又は計画情報のいずれかに分類された情報であり、前記第２確認情報は、客観情報、前記評価情報又は前記計画情報のいずれかに分類された情報である、
請求項６に記載の服薬指導支援システム。
【請求項８】
前記出力処理部は、予め設定された特定の組み合わせで前記確認情報が選択された場合に特定のメッセージを報知する、
請求項１〜７のいずれかに記載の服薬指導支援システム。
【請求項９】
処方データに基づいて調剤される薬品の服薬に関する複数の確認情報のうち、前記処方データについて複数のチェック項目に関する適否を判定する処方チェックのチェック結果に対応する一又は複数の前記確認情報のみを提示する提示ステップと、
前記提示ステップにより提示された前記確認情報から選択される一又は複数の前記確認情報を含むリストを出力する出力ステップと、
をコンピュータに実行させるための服薬指導支援プログラム。
【発明の詳細な説明】
【技術分野】
【０００１】
本発明は、病院等の医療機関で薬剤師により行われる服薬指導業務を支援する服薬指導支援システム及び服薬指導支援プログラムに関する。
【背景技術】
【０００２】
病院等の医療機関では、診察記録及び処方内容が電子カルテシステムなどに入力されることにより処方データが発行され、前記処方データに基づいて薬品が調剤される。その後、前記処方データに基づいて調剤された薬品は、病棟に入院している患者によって服用される。なお、前記処方データに基づく薬品の調剤前に、前記処方データの適否を自動的に判断する処方チェックが実行可能な処方鑑査システムが知られている（例えば特許文献１参照）。
【０００３】
ところで、医療機関の病棟では、入院中の患者の服薬に関する服薬指導業務が薬剤師によって行われることがある。具体的に、服薬指導業務には、薬剤師が、患者による薬品の服用前又は服用後に、その薬品の服用状況及び患者の状態などを予め定められた確認情報を含むプロブレムリストに従って自己確認し又は患者に確認する業務が含まれる。このようにプロブレムリストに従って服薬指導業務が行われることにより統一的な服薬指導が実現可能である。
【先行技術文献】
【特許文献】
【０００４】
【特許文献１】特開２０１３−１２５３７７号公報
【発明の概要】
【発明が解決しようとする課題】
【０００５】
しかしながら、プロブレムリストに含まれる確認情報が多くなるほど服薬指導業務の効率が低下する。そのため、プロブレムリストに含まれる確認情報は必要最小限であることが望ましい。
【０００６】
本発明の目的は、服薬指導業務を効率的に行うためのプロブレムリストを作成可能な服薬指導支援システム及び服薬指導支援プログラムを提供することにある。
【課題を解決するための手段】
【０００７】
本発明に係る服薬指導支援システムは、処方データに基づいて調剤される薬品の服薬に関する複数の確認情報のうち、前記処方データについて複数のチェック項目に関する適否を判定する処方チェックのチェック結果に対応する一又は複数の前記確認情報のみを提示する提示処理部と、前記提示処理部により提示された前記確認情報から選択される一又は複数の前記確認情報を含むリストを出力する出力処理部と、を備える。
【０００８】
本発明に係る服薬指導支援プログラムは、処方データに基づいて調剤される薬品の服薬に関する複数の確認情報のうち、前記処方データについて複数のチェック項目に関する適否を判定する処方チェックのチェック結果に対応する一又は複数の前記確認情報のみを提示する提示ステップと、前記提示ステップにより提示された前記確認情報から選択される一又は複数の前記確認情報を含むリストを出力する出力ステップと、をコンピュータに実行させるためのプログラムである。
【発明の効果】
【０００９】
本発明によれば、服薬指導業務を効率的に行うためのプロブレムリストを作成可能な服薬指導支援システム及び服薬指導支援プログラムが実現される。
【図面の簡単な説明】
【００１０】
【図１】図１は、本発明の実施形態に係る服薬指導支援システムの構成を示すブロック図である。
【図２】図２は、本発明の実施形態に係る服薬指導支援システムで用いられる処方チェック情報の一例を示す図である。
【図３】図３は、本発明の実施形態に係る服薬指導支援システムで用いられるプロブレム情報の一例を示す図である。
【図４】図４は、本発明の実施形態に係る服薬指導支援システムで実行される処方チェック処理の手順の一例を示すフローチャートである。
【図５】図５は、本発明の実施形態に係る服薬指導支援システムで用いられるチェック結果情報の一例を示す図である。
【図６】図６は、本発明の実施形態に係る服薬指導支援システムで実行される服薬指導支援処理の手順の一例を示すフローチャートである。
【図７】図７は、本発明の実施形態に係る服薬指導支援システムで表示される管理画面の一例を示す図である。
【図８】図８は、本発明の実施形態に係る服薬指導支援システムで表示される管理画面の一例を示す図である。
【図９】図９は、本発明の実施形態に係る服薬指導支援システムで表示される管理画面の一例を示す図である。
【図１０】図１０は、本発明の実施形態に係る服薬指導支援システムで出力されるプロブレムリストの一例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定する性格のものではない。
【００１２】
［服薬指導支援システム１０］
図１に示すように、本発明の実施の形態に係る服薬指導支援システム１０は、サーバー１、クライアント端末２、調剤機器３、及びプリンター４を備える。前記サーバー１、前記クライアント端末２、前記調剤機器３、及び前記プリンター４は、通信網５を介して無線又は有線で通信可能に接続される。前記通信網５は、ＬＡＮ、ＷＡＮ、インターネット、又はイントラネットなどである。また、前記サーバー１には、処方内容を示す処方データ及び患者の情報を示す患者データなどを前記サーバー１に入力する電子カルテシステム、オーダーリングシステム、又はレセプトシステムなどの上位システム６が前記通信網５を介して接続される。なお、前記サーバー１が前記上位システム６から前記処方データ及び前記患者データなどを読み出す構成であってもよい。なお、本実施形態において、前記服薬指導支援システム１０のユーザーは、例えば薬剤師、医師、看護士、又は医療スタッフなどである。
【００１３】
［調剤機器３］
前記調剤機器３各々は、前記服薬指導支援システム１０が使用される病院又は薬局等の医療機関において、薬品の調剤作業で使用される。例えば、前記調剤機器３各々は、錠剤分包機、散薬分包機、水剤分注機、ＰＴＰシート払出装置、又は混注装置などである。例えば、前記錠剤分包機は、複数種類の錠剤が収容された複数の薬品カセットを有し、前記サーバー１から入力される調剤用データに従って、前記薬品カセットから錠剤を払い出して１服用分ごとに分包紙で包装する分包動作を実行する。前記散薬分包機は、前記サーバー１から入力される調剤用データに従って、投入された散薬を１服用分ごとに分包紙で包装する分包動作を実行する。前記水剤分注機は、複数種類の水剤が収容された複数の薬瓶を有しており、前記サーバー１から入力される調剤用データに従って、前記薬瓶から必要量の水剤を払い出す。前記ＰＴＰシート払出装置は、予め錠剤が包装されたＰＴＰシート又はヒートシールが収容された複数のシートカセットを有し、前記サーバー１から入力される調剤用データに従って、前記シートカセットから前記ＰＴＰシート又は前記ヒートシールを払い出す。前記混注装置は、前記サーバー１から入力される調剤用データに従って、抗癌剤などの薬品を輸液に注入する混注作業をロボットアームで自動的に実行する。
【００１４】
［プリンター４］
前記プリンター４は、前記サーバー１又は前記クライアント端末２から前記通信網５を介して入力される印刷データに含まれる情報を紙などのシートに印刷するカラープリンター又はモノクロプリンターである。具体的に、前記プリンター４は、前記服薬指導支援システム１０において作成される後述のプロブレムリストなどの印刷に用いられる。
【００１５】
［サーバー１］
前記サーバー１は、制御部１１、記憶部１２、通信Ｉ／Ｆ１３、表示装置１４、操作装置１５、及びドライブ装置１６などを備えるパーソナルコンピュータである。なお、前記サーバー１は、前記服薬指導支援システム１０が使用される病院又は薬局等の医療機関の外部に設けられてもよい。また、前記サーバー１は、スマートフォン又はタブレット端末などのモバイル端末であってもよい。
【００１６】
前記制御部１１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００１７】
前記記憶部１２は、前記制御部１１によって実行される各種のアプリケーションプログラム及び各種のデータが記憶されるハードディスク又はＳＳＤ等の不揮発性の記憶部である。具体的に、前記記憶部１２には、プログラム記憶部１２１、マスター記憶部１２２、及び情報記憶部１２３が含まれる。
【００１８】
前記プログラム記憶部１２１は、後述の処方チェック処理（図４参照）及び服薬指導支援処理（図６参照）を前記制御部１１に実行させるための服薬指導支援プログラムが記憶される記憶領域である。
【００１９】
前記マスター記憶部１２２は、薬品マスター、患者マスター、薬剤師マスター、処方箋区分マスター、診療科マスター、及び病棟マスターなどの各種のマスター情報が記憶される記憶領域である。例えば、前記薬品マスターには、各種の薬品について、薬品コード（ＹＪコード等）、薬品名、ＪＡＮコード、ＲＳＳコード、薬瓶コード、剤形、単位、比重、薬品種、配合変化、賦形薬品、注意事項などの情報が含まれる。前記患者マスターには、各患者について、例えば患者名、患者ＩＤ、性別、年齢、飲酒有無、喫煙有無、病名、及びアレルギーなどの情報が含まれる。また、前記患者マスターには、患者が妊婦又は授乳婦であるか否か等の診察時又は問診時に確認された各種の情報も含まれる。なお、前記制御部１１は、前記マスター記憶部に記憶されている各種のマスター情報を、前記上位システム６から取得する情報に基づいて随時更新可能である。また、前記制御部１１は、前記サーバー１又は前記クライアント端末２を用いたユーザー操作に応じて前記患者マスターなどを編集することも可能である。
【００２０】
前記情報記憶部１２３は、処方チェック情報Ｄ１１、プロブレム情報Ｄ２１、及びチェック結果情報Ｄ３１などの各種の情報の記憶に用いられる記憶領域である。また、前記情報記憶部１２３には、前記上位システム６から取得される処方データも記憶される。なお、前記処方データには、患者ＩＤ、患者名、処方ＩＤ、処方発行日、処方内容（薬品の種別、投与量、用法）、担当医師、診療科、病棟などの情報が含まれる。前記薬品の種別は、薬品コード又は薬品名などの情報であり、前記投与量は、前記薬品の１回あたりの投与量又は投与量の合計などの情報であり、前記用法は、前記薬品の服用時期などの情報である。なお、前記制御部１１は、前記サーバー１又は前記クライアント端末２に対するユーザー操作に応じて、前記処方チェック情報Ｄ１１又は前記プロブレム情報Ｄ２１の内容を編集することが可能である。
【００２１】
図２に示すように、前記処方チェック情報Ｄ１１は、後述の処方チェックで用いられる情報であって、当該処方チェック情報Ｄ１１には、処方データに基づく薬品の調剤前に確認されるべき複数のチェック項目が記憶されている。例えば、前記処方チェック情報Ｄ１１には、処方チェックＮｏ．「１」〜「５」に対応するチェック項目が含まれている。
【００２２】
また、図２では省略されているが、前記処方チェック情報Ｄ１１には、前記チェック項目各々について適正であるか否かを判定するための判定情報が含まれる。そして、後述の処方チェックでは、前記処方データに含まれる薬品の種別、投与量、又は服用時期と、前記薬品の種別、投与量、又は服用時期について予め設定された判定情報と、に基づいて前記チェック項目に関する適否が判定される。そして、前記処方チェックにおいて前記チェック項目が適正でないと判定された場合にはエラーが存在すると判断され、当該エラーの内容（以下、「エラー内容」と称する）を含むチェック結果が出力される。また、一の前記チェック項目についてのエラー内容は一種類に限らず複数種類存在することがある。なお、本実施形態で説明する前記チェック項目は、前記処方チェックに対応する患者自身の情報に依存せず、前記処方データ及び前記判定情報のみに基づいて適否が判定可能な項目である。そのため、例えば患者の性別、年齢、疾病などに基づいて適否の判定が必要な項目は前記チェック項目に含まれない。
【００２３】
具体的に、前記チェック項目には、図２に示されるように、「相互作用」、「重複（同薬効、同薬品、同成分）」、「投与量」、「配合変化」、「服用区分」などの項目が含まれる。「相互作用」は、前記処方データに含まれる薬品の組み合わせに禁忌又は注意があるか否かに関するチェック項目である。「重複（同薬効、同薬品、同成分）」は、前記処方データに含まれる薬品の重複の有無に関するチェック項目である。「投与量」は、前記処方データに含まれる薬品の投与量が所定範囲内であるか否かに関するチェック項目である。「配合変化」は、注射薬品を混合する場合の異常の有無に関するチェック項目である。「服用区分」は、前記処方データに含まれる薬品の服用時期が当該薬品について予め設定された服用時期と一致するか否かに関するチェック項目である。
【００２４】
例えば、前記処方チェック情報Ｄ１１では、「相互作用」の前記チェック項目について、相互作用に禁忌がある薬品の組み合わせを示す併用禁忌薬情報、及び、相互作用に注意がある薬品の組み合わせを示す併用注意薬情報が前記判定情報として記憶されている。そして、後述の処方チェックでは、前記処方データに対応する患者に処方される複数の薬品が前記併用禁忌薬情報に示された薬品の組み合わせを含む場合には、前記処方チェックの結果がエラーとなり、当該処方チェックのチェック結果に「併用禁忌」のエラー内容が含まれることになる。同様に、前記処方データに対応する患者に処方される複数の薬品が前記併用注意薬情報に示された薬品の組み合わせを含む場合は、前記処方チェックの結果がエラーとなり、当該処方チェックのチェック結果に「併用注意」のエラー内容が含まれることになる。なお、前記併用禁忌薬情報及び前記併用注意薬情報は、前記薬品マスターにおいて薬品ごとに記憶されていてもよい。
【００２５】
その他、前記処方チェック情報Ｄ１１では、「投与量」の前記チェック項目について、薬品ごとの投与量の最大量及び最小量が前記判定情報として記憶されている。そして、後述の処方チェックでは、前記処方データに対応する患者に処方される薬品の投与量が前記最大量を超えている場合には、前記処方チェックの結果がエラーとなり、当該処方チェックのチェック結果に「投与量最大超過」のエラー内容が含まれることになる。また、前記投与量が前記最小量を下回っている場合には、前記処方チェックの結果がエラーとなり、当該処方チェックのチェック結果に「投与量最小超過」のエラー内容が含まれることになる。
【００２６】
図３に示されるように、前記プロブレム情報Ｄ２１は、前記チェック結果におけるエラー内容と一又は複数の確認情報とが対応付けられた対応情報の一例である。前記確認情報は、前記処方データに基づいて調剤される薬品の服薬に関して薬剤師が確認するべき内容を示す文章などの情報である。
【００２７】
具体的に、前記プロブレム情報Ｄ２１では、前記エラー内容ごとに前記確認情報が対応付けられている。例えば、図３に示される前記プロブレム情報Ｄ２１では、「併用禁忌」のエラー内容に対応付けて、「併用薬の確認（併用禁忌）（対象薬品名称１、対象薬品名称２、・・・）」、「併用禁忌のため、投与の妥当性について検討が必要。」、「併用について医師に問い合せ、・・・となった。」などの複数の前記確認情報が記憶されている。一方、図３に示される前記プロブレム情報Ｄ２１では、「併用注意」のエラー内容に対応付けて、「併用薬の確認（併用注意）（対象薬品名称１、対象薬品名称２、・・・）」、「併用注意だが、（＠＠）のため併用投与で問題なし」、「併用注意だが、・・・問題なし。」などの複数の前記確認情報が記憶されている。このように、前記プロブレム情報Ｄ２１では、異なる前記エラー内容については、少なくとも一つ以上の異なる前記確認情報が対応付けられている。
【００２８】
また、前記制御部１１は、前記確認情報に含まれる「（対象薬品名称１、対象薬品名称２、・・・）」の文章を提示する際には、当該文章に前記エラー内容の原因となった薬品名称を挿入して提示する。その他、前記制御部１１は、例えば前記エラー内容の具体的な内容又は原因などに応じて前記確認情報を編集した上で提示してもよい。なお、前記プロブレム情報Ｄ２１では、前記チェック結果における全てのエラー内容について、対応する前記確認情報が記憶されている必要はなく、予め設定された前記チェック項目又は前記エラー内容のみに対応する前記確認情報が記憶されていてもよい。
【００２９】
前記確認情報各々は、例えば「Ｓ」、「Ｏ」、「Ａ」、「Ｐ」のような予め設定された複数の分類に分類されている。ここに、「Ｓ」は主観情報（Ｓｕｂｊｅｃｔｉｖｅ  Ｉｎｆｏｒｍａｔｉｏｎ）であって、患者が主観的に感じている症状などに関する情報である。「Ｏ」は客観情報（Ｏｂｊｅｃｔｉｖｅ  Ｉｎｆｏｒｍａｔｉｏｎ）であって、身体診察、検査結果、及び処方データから得られる情報などである。「Ａ」は評価情報（Ａｓｓｅｓｓｍｅｎｔ  Ｉｎｆｏｒｍａｔｉｏｎ）であって、前記主観情報「Ｓ」及び前記客観情報「Ｏ」の情報から考えられる薬剤師としての評価などに関する情報である。「Ｐ」は計画情報（Ｐｌａｎ  Ｉｎｆｏｒｍａｔｉｏｎ）であって、投薬及び治療計画などに関する情報である。さらに、「Ｐ」の分類には、服薬指導又は服薬説明などに関する情報である教育計画（ＥＰ：Ｅｄｕｃａｔｉｏｎａｌ  Ｐｌａｎ）、患者の薬物治療に対しての介入計画（ＣＰ：Ｃａｒｅ  Ｐｌａｎ）、及び服薬の副作用の観察などに関する観察計画（ＯＰ：Ｏｂｓｅｒｖａｔｉｏｎ  Ｐｌａｎ）などの分類が含まれる。なお、本実施形態では、前記確認情報がＳＯＡＰの４項目に分類されている場合を例に挙げて説明するが分類数はこれに限らない。
【００３０】
前記通信Ｉ／Ｆ１３は、前記通信網５を介して前記クライアント端末２、前記調剤機器３、及び前記プリンター４などの外部機器との間で、予め定められた通信プロトコルに従って無線又は有線でデータ通信を実行するネットワークカード等を有する通信インターフェースである。
【００３１】
前記表示装置１４は、前記制御部１１からの制御指示に従って各種の情報を表示する液晶ディスプレイ又は有機ＥＬディスプレイなどの表示部である。前記操作装置１５は、前記サーバー１に各種の情報を入力するためにユーザーによって操作される操作部である。具体的に、前記操作装置１５は、前記表示装置１４に表示される各種の操作画面における入力操作を受け付けるキーボード及びマウス（ポインティングデバイス）を含む。また、前記操作装置１５は、前記表示装置１４に表示される各種の操作画面に対するタッチ操作を受け付けるタッチパネル、又は音声認識により各種情報の入力を受け付ける音声入力装置を含むものであってもよい。
【００３２】
前記ドライブ装置１６は、前記服薬指導支援プログラムが記録されたコンピュータ読み取り可能な記録媒体１６１から前記服薬指導支援プログラムを読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記服薬指導支援プログラムが前記記憶部１２の前記プログラム記憶部１２１にインストールされる。
【００３３】
そして、前記サーバー１の前記制御部１１は、取得処理部１１１、提示処理部１１２、出力処理部１１３、編集処理部１１４などの各種の処理部を含む。具体的に、前記制御部１１は、前記服薬指導支援プログラムに従って各種の処理を実行することにより前記各種の処理部として機能する。また、前記各種の処理部のいずれか一又は複数はＡＳＩＣ又はＤＳＰなどの電子回路であってもよい。
【００３４】
前記取得処理部１１１は、前記処方チェック情報Ｄ１１に基づいて、前記処方データについて複数のチェック項目に関する適否を判定する処方チェックを実行し、前記処方チェックのチェック結果を取得する。前記処方チェックでは、前記処方データについて前記処方チェック情報Ｄ１１に含まれる前記チェック項目が前記判定情報に基づいて適正であるか否かが判定される。なお、前記取得処理部１１１は、前記処方チェックのチェック結果を取得可能であれば、例えば前記処方チェックを実行可能な前記上位システム６のような外部装置から前記通信網５を介して前記処方チェックのチェック結果を取得してもよい。
【００３５】
前記提示処理部１１２は、処方データに基づいて調剤される薬品の服薬に関する複数の確認情報のうち、前記処方チェックのチェック結果に対応する一又は複数の前記確認情報のみを提示する。具体的に、前記提示処理部１１２は、前記処方チェックのチェック結果におけるエラー内容と一又は複数の前記確認情報とが対応付けられた前記プロブレム情報Ｄ２１に基づいて、複数の前記確認情報のうち前記処方チェックで発生したエラー内容に対応する一又は複数の前記確認情報のみを提示する。
【００３６】
前記出力処理部１１３は、前記提示処理部１１２により提示された前記確認情報から選択される一又は複数の前記確認情報を含むプロブレムリストを出力する。前記プロブレムリストは、薬剤師が、服薬指導業務において、患者による薬品の服用前又は服用後に、その薬品の服用状況及び患者の状態などを自己確認し又は患者に確認する業務において用いられる。具体的に、前記出力処理部１１３は、前記プロブレムリストを前記サーバー１又は前記クライアント端末２で表示させるための処理を実行することが可能である。また、前記出力処理部１１３は、前記プロブレムリストを前記プリンター４に印刷させるための処理を実行することも可能である。
【００３７】
ところで、前記プロブレムリストに含まれる確認情報が多くなるほど服薬指導業務の効率が低下する。そのため、前記プロブレムリストに含まれる確認情報は必要最小限であることが望ましい。これに対し、以下に説明するように、本実施形態に係る前記服薬指導支援システム１０では、服薬指導業務を効率的に行うためのプロブレムリストを作成することが可能である。
【００３８】
前記編集処理部１１４は、前記提示処理部１１２により提示される前記確認情報をユーザー操作に応じて編集するための処理を実行する。そして、前記出力処理部１１３は、前記編集処理部１１４による編集後の前記確認情報を含むプロブレムリストを出力することが可能である。具体的に、複数の前記確認情報には、編集可能である第１確認情報と編集可能でない第２確認情報とが含まれる。例えば、前記第１確認情報は、前記確認情報の分類のうち「Ａ」の評価情報、又は「Ｐ」の計画情報のいずれかに分類される。一方、前記第２確認情報は、前記確認情報の分類のうち「Ｏ」の客観情報、「Ａ」の評価情報、又は「Ｐ」の計画情報のいずれかに分類される。即ち、前記編集処理部１１４は、前記確認情報の分類のうち「Ｏ」の客観情報に分類される前記確認情報については編集することができない。
なお、前記編集処理部１１４は、前記第１確認情報の全体を任意に編集可能であってもよいが、当該第１確認情報において予め設定された編集可能領域のみについて編集が可能であってもよい。
【００３９】
［クライアント端末２］
前記クライアント端末２は、制御部２１、記憶部２２、通信Ｉ／Ｆ２３、表示装置２４、操作装置２５、及びドライブ装置２６などを備えるパーソナルコンピュータである。前記クライアント端末２各々は、前記服薬指導支援システム１０が使用される医療機関に配置され、薬剤師などのユーザーによって操作される操作端末である。特に、前記クライアント端末２は、前記医療機関の病棟に設けられ、前記病棟において服薬指導業務を行う薬剤師などによって使用されることが考えられる。なお、前記クライアント端末２は、スマートフォン又はタブレット端末などのモバイル端末であってもよい。
【００４０】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００４１】
前記記憶部２２は、前記制御部２１によって実行される各種のアプリケーションプログラム及び各種のデータが記憶されるハードディスク又はＳＳＤ等の不揮発性の記憶部である。具体的に、前記記憶部２２には、オペレーティングシステム（ＯＳ）及びブラウザソフトなどのアプリケーションプログラムが記憶されるプログラム記憶部２２１が含まれる。前記ブラウザソフトは、前記通信網５を介して前記サーバー１にアクセスすることにより、前記表示装置２４に各種の操作画面などを表示させると共に、前記操作装置２５を用いた前記操作画面に対する入力操作を前記サーバー１に伝達するためのアプリケーションソフトウェアである。例えば、前記制御部２１は、前記ブラウザソフトにより表示される操作画面の所定位置に、前記サーバー１に対応するＵＲＬ（Universal  Resource  Locator）などのアドレス情報が入力された場合に、該アドレス情報に基づいて前記サーバー１にアクセスする。
【００４２】
前記通信Ｉ／Ｆ２３は、前記通信網５を介して前記サーバー１、前記調剤機器３、及び前記プリンター４などの外部機器との間で、予め定められた通信プロトコルに従って無線又は有線でデータ通信を実行するネットワークカード等を有する通信インターフェースである。
【００４３】
前記表示装置２４は、前記制御部２１からの制御指示に従って各種の情報を表示する液晶ディスプレイ又は有機ＥＬディスプレイなどの表示部である。前記操作装置２５は、前記クライアント端末２に各種の情報を入力するためにユーザーによって操作される操作部である。具体的に、前記操作装置２５は、前記表示装置２４に表示される各種の操作画面における入力操作を受け付けるキーボード及びマウス（ポインティングデバイス）を含む。また、前記操作装置２５は、前記表示装置２４に表示される各種の操作画面に対するタッチ操作を受け付けるタッチパネル、又は音声認識により各種情報の入力を受け付ける音声入力装置を含むものであってもよい。
【００４４】
前記ドライブ装置２６は、前記ＯＳ又は前記ブラウザソフトなどが記録されたコンピュータ読み取り可能な記録媒体２６１から前記ＯＳ又は前記ブラウザソフトなどを読み取ることが可能である。前記記録媒体２６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。前記クライアント端末２では、前記制御部２１により、前記ドライブ装置２６を用いて前記記録媒体２６１から読み取られた前記ＯＳ又は前記ブラウザソフトなどが前記記憶部２２の前記プログラム記憶部２２１にインストールされる。
【００４５】
そして、前記服薬指導支援システム１０では、ユーザーによる前記クライアント端末２の操作に応じて、前記プロブレムリストの作成、表示、及び印刷などが実行可能である。具体的に、本実施形態では、前記サーバー１及び前記クライアント端末２によりサーバクライアントシステムが構成されており、前記サーバー１が前記クライアント端末２のユーザー操作に応じて前記プロブレムリストの作成、表示、及び印刷などの各種の処理を実行する場合について説明する。即ち、前記クライアント端末２は、前記サーバー１の操作端末として利用され、以下に説明する「表示」、「操作」、「選択」、及び「入力」などは、前記クライアント端末２の前記表示装置２４及び前記操作装置２５を用いて行われる。
【００４６】
一方、前記サーバー１が前記表示装置１４及び前記操作装置１５を用いて前記プロブレムリストの表示及び印刷を実行することも可能であり、前記サーバー１単体を本発明に係る服薬指導支援システムとして捉えてもよい。さらに、前記クライアント端末２単体を本発明に係る服薬指導システムとして捉えてもよい。例えば、前記クライアント端末２に、前記服薬指導支援プログラムの一部又は全部がインストールされており、前記クライアント端末２の前記制御部２１が、前記サーバー１から必要な情報を適宜取得して、本実施形態で説明する前記サーバー１と同様の処理を実行することも考えられる。また、前記サーバー１及び前記クライアント端末２が協働して本実施形態で説明する前記サーバー１と同様の処理を実行してもよい。
【００４７】
［処方チェック処理］
次に、図４を参照しつつ、前記サーバー１の前記制御部１１によって実行される処方チェック処理について説明する。前記処方チェック処理は、例えば前記サーバー１が前記上位システム６から前記処方データを取得した際、前記処方データについて調剤が開始される際、又はユーザーによる前記処方データについての処方チェック要求時などに、当該処方データを処理対象として前記制御部１１によって実行される。なお、前記処方チェック処理は、前記制御部１１の前記取得処理部１１１によって実行される。
【００４８】
＜ステップＳ１１＞
まず、ステップＳ１１において、前記制御部１１は、当該処方チェック処理の処理対象である処方データと前記情報記憶部１２３に記憶された前記処方チェック情報Ｄ１１とに基づいて、前記チェック項目各々について適正であるか否かを判定する処方チェックを実行する。具体的に、前記制御部１１は、前記処方データに基づいて、前記処方チェック情報Ｄ１１の複数の前記チェック項目が適正であるか否かを前記判定情報に従って判定する。
【００４９】
＜ステップＳ１２＞
そして、前記制御部１１は、前記ステップＳ１１で取得された前記処方チェックで全ての前記チェック項目について適正であると判断した場合（Ｓ１２：Ｙｅｓ側）、処理をステップＳ１３に移行させる。また、前記制御部１１は、前記処方チェックで前記チェック項目のいずれかについて適正でないと判断した場合（Ｓ１２：Ｎｏ側）、処理をステップＳ１２１に移行させる。
【００５０】
＜ステップＳ１３＞
ステップＳ１３において、前記制御部１１は、前記ステップＳ１１における前記処方チェックのチェック結果をチェック結果情報Ｄ３１として前記処方データに対応付けて前記情報記憶部１２３に記録する。これにより、前記制御部１１は、後述の服薬指導支援処理（図６参照）において、前記情報記憶部１２３に記憶されている前記チェック結果情報Ｄ３１を参照し、前記処方データについての前記処方チェックのチェック結果を把握することが可能である。
【００５１】
＜ステップＳ１４＞
その後、ステップＳ１４において、前記制御部１１は、前記処方データに基づく薬品の調剤を開始するための調剤制御処理を実行し、当該処方チェック処理を終了する。例えば、前記制御部１１は、前記処方データに基づいて前記調剤機器３各々に対応する調剤用データを生成し、前記記憶部１２に確保された予め定められた共有データフォルダに記憶する。これにより、前記調剤機器３各々は、前記共有データフォルダから前記調剤用データを取得し、前記調剤用データに基づいて薬品の調剤を実行する。また、前記制御部１１は、薬剤師が前記処方データに基づいて薬品をピッキングするために必要なピッキング情報を前記プリンター４で印刷し、又は前記ピッキング情報をピッキング作業で用いられるピッキング補助装置などに送信することも考えられる。
【００５２】
＜ステップＳ１２１＞
一方、前記処方チェックで前記チェック項目のいずれかが適正でないと判断した場合（Ｓ１２：Ｎｏ側）、続くステップＳ１２１において、前記制御部１１は、予め定められたエラー報知処理を実行する。具体的に、前記エラー報知処理では、前記処方データにエラーが存在する旨の警告が、前記処方データに基づく薬品の調剤が行われる調剤室に設置された前記クライアント端末２の前記表示装置２４などに表示される。また、前記処方データにエラーが存在する旨が前記上位システム６に報知されてもよい。
【００５３】
＜ステップＳ１２２＞
ステップＳ１２２において、前記制御部１１は、前記ステップＳ１１における前記処方チェックのチェック結果を前記チェック結果情報Ｄ３１として前記処方データに対応付けて前記情報記憶部１２３に記録し、当該処方チェック処理を終了する。ここに、図５は、一つの前記処方データに対応する前記チェック結果情報Ｄ３１の一例を示す図である。図５に示すように、前記チェック結果情報Ｄ３１には、「患者ＩＤ」、「処方チェック日付」、「処方チェックＮｏ．」、「チェック結果」、及び「エラー内容」などの情報が含まれる。そして、図５に示す前記チェック結果情報Ｄ３１には、患者ＩＤが「０００００００１」であり、処方チェック日付が「２０１９／１／１０」である処方データについて、前記処方チェックＮｏ．「１」、「２」に対応する前記チェック項目のチェック結果が「エラー（不適正）」であり、エラー内容がそれぞれ「併用禁忌」、「併用注意」である旨の情報が含まれている。なお、図５に示す前記チェック結果情報Ｄ３１では、同じ前記処方データについて、前記処方チェックＮｏ．「２」、「３」、「４」、及び「５」に対応する前記チェック項目のチェック結果は「ＯＫ（適正）」である旨の情報が含まれている。
【００５４】
［服薬指導支援処理］
次に、図６を参照しつつ、前記サーバー１の前記制御部１１によって実行される服薬指導支援処理について説明する。なお、本発明は、前記服薬指導支援処理を実行することにより薬剤師の服薬指導業務を支援するための服薬指導支援方法の発明又は前記サーバー１に前記服薬指導支援方法を実行させるための服薬指導支援プログラムとして捉えてもよい。
【００５５】
なお、前記制御部１１は、前記処方データに基づいて調剤された薬品を服用する患者が入院する病棟などに配置された前記クライアント端末２を用いて前記服薬指導支援プログラムを実行するための予め定められたユーザー操作が行われた場合に前記服薬指導支援処理を実行する。
【００５６】
＜ステップＳ２１＞
まず、ステップＳ２１において、前記制御部１１は、当該服薬指導支援処理の対象となる患者（以下、「対象患者」と称する）を選択するための処理を実行する。具体的に、前記制御部１１は、対象患者を選択するための患者一覧画面などを表示させ、当該患者一覧画面などにおけるユーザー操作に応じて対象患者を選択する。
【００５７】
＜ステップＳ２２＞
ステップＳ２２において、前記制御部１１は、前記対象患者に対応する前記チェック結果情報Ｄ３１を取得する。なお、ここで取得される前記チェック結果情報Ｄ３１は、予め設定された特定時期に前記対象患者に発行された前記処方データに対応する前記処方チェックのチェック結果である。例えば、前記特定時期は、過去の全期間、現在から過去の３ヶ月間、又は処方データの最後の発行日などである。
【００５８】
また、前記制御部１１は、前記ステップＳ２１〜Ｓ２２に代えて、特定の前記処方データがユーザー操作によって選択された場合に、当該処方データに対応する患者を対象患者として選択肢、当該処方データについての前記処方データのチェック結果情報Ｄ３１を取得してもよい。
【００５９】
＜ステップＳ２３＞
ステップＳ２３において、前記制御部１１は、前記ステップＳ２２で取得された前記チェック結果情報Ｄ３１が示すチェック結果にエラー内容が含まれるか否かを判断する。ここで、前記チェック結果に前記エラー内容が含まれていると判断すると（Ｓ２３：Ｙｅｓ）、処理がステップＳ２４に移行し、前記チェック結果に前記エラー内容が含まれていないと判断すると（Ｓ２３：Ｎｏ）、処理がステップＳ２５に移行する。
【００６０】
＜ステップＳ２４＞
ステップＳ２４において、前記制御部１１は、前記処方データに基づいて調剤される薬品の服用に関する複数の前記確認情報のうち、前記ステップＳ２２で取得された前記チェック結果情報Ｄ３１が示すチェック結果に対応する前記確認情報を特定する。具体的に、前記制御部１１は、前記プロブレム情報Ｄ２１に基づいて、複数の前記確認情報のうち、前記チェック結果に含まれるエラー内容に対応する前記確認情報のみを抽出する。
【００６１】
例えば、前記エラー内容が「併用禁忌」である場合には、図３に示される前記プロブレム情報Ｄ２１に基づいて、分類が「Ｏ」である一つの確認情報と、分類が「Ａ」である一つの確認情報と、分類が「ＣＰ」である五つの確認情報とが抽出される。また、前記エラー内容が「併用注意」である場合には、図３に示される前記プロブレム情報Ｄ２１に基づいて、分類が「Ｏ」である一つの確認情報と、分類が「Ａ」である三つの確認情報と、分類が「ＣＰ」である四つの確認情報とが抽出される。なお、前記チェック結果情報Ｄ３１に含まれる前記エラー内容が前記プロブレム情報Ｄ２１で前記確認情報に対応付けられていない場合には、当該ステップＳ２４において前記チェック結果に対応する前記確認情報がないと判断される。
【００６２】
＜ステップＳ２５＞
ステップＳ２５において、前記制御部１１は、前記プロブレムリストを作成するための管理画面Ｐ１を前記クライアント端末２の表示装置２４に表示する。特に、前記制御部１１は、前記ステップＳ２４において前記確認情報が特定されている場合には、当該確認情報を前記管理画面Ｐ１に提示する提示ステップを実行する。ここに、前記提示ステップは、前記制御部１１の提示処理部１１２によって実行される。
【００６３】
ここに、図７は、前記管理画面Ｐ１の一例を示す図である。図７に示されるように、前記制御部１１は、前記管理画面Ｐ１に、各種の情報が表示される表示領域Ａ１１、Ａ２１、Ａ２２、Ａ２３、ユーザー操作を受け付けるための操作キーＫ１１、Ｋ１２、Ｋ１３、Ｋ１４などを表示させる。
【００６４】
前記表示領域Ａ１１は、前記対象患者の情報が表示される領域である。例えば、前記表示領域Ａ１１には、前記患者マスター及び前記処方データに基づいて、前記対象患者のＩＤ、氏名、性別、年齢、病棟、診療科などの情報が表示される。なお、前記表示領域Ａ１１では、前記対象患者の服薬指導に関する情報として、指導日、指導者、記入日などの情報が入力可能である。
【００６５】
前記表示領域Ａ２１は、前記対象患者の過去にプロブレムリストが表示可能な表示領域である。前記制御部１１は、ユーザー操作に応じて、過去に作成された任意のプロブレムリストを当該表示領域Ａ２１に表示させる。
【００６６】
前記表示領域Ａ２２は、前記対象患者について作成する前記プロブレムリストの現在の編集状況が表示される表示領域である。また、前記表示領域Ａ２２１には、現在作成中の前記プロブレムリストに含まれる前記確認情報各々についての確認の有無を記録するための操作部Ａ２２１が表示されている。前記制御部１１は、前記操作部Ａ２２１の操作に応じて前記確認情報各々の確認状況を確認済と未確認とに切り替える。
【００６７】
前記表示領域Ａ２３は、前記表示領域Ａ２２に表示される前記プロブレムリストの編集に用いられる表示領域である。具体的に、前記制御部１１は、前記プロブレム情報Ｄ２１に含まれる複数の前記確認情報のうち前記ステップＳ２４で前記エラー内容に対応する前記確認情報として特定された一又は複数の前記確認情報のみを選択候補として前記表示領域Ａ２３に表示させる。なお、前記チェック結果情報Ｄ３１に前記エラー内容が含まれていない場合、即ち前記処方チェックでエラーが発生しなかった場合（Ｓ２３：Ｎｏ）には、前記表示領域Ａ２３には前記確認情報が表示されない。同様に、前記チェック結果情報Ｄ３１に前記エラー内容が含まれている場合（Ｓ２３：Ｙｅｓ）であっても、当該エラー内容が前記チェック結果情報Ｄ３１において前記確認情報に対応付けられていないエラー内容である場合にも、前記表示領域Ａ２３には前記確認情報が表示されない。なお、前記表示領域Ａ２３に前記確認情報が表示されない場合には、確認するべき前記確認情報がない旨を示唆する特定のメッセージが前記表示領域Ａ２３に表示されてもよい。
【００６８】
また、前記表示領域Ａ２３には、当該表示領域Ａ２３に提示された前記確認情報各々について前記プロブレムリストに含めるか否かを選択するための操作部Ａ２３１が前記確認情報各々に対応付けて表示される。また、前記表示領域Ａ２３には、当該表示領域Ａ２３における操作内容を前記表示領域Ａ２２に反映させるための操作キーＫ２３１が表示される。そして、前記制御部１１は、前記操作部Ａ２３１の操作に応じて前記プロブレムリストに含める確認情報を選択する。また、前記制御部１１は、前記操作キーＫ２３１の操作に応じて、前記表示領域Ａ２３で現在選択されている前記確認情報を前記表示領域Ａ２２に反映させる。即ち、ユーザーは、多数の前記確認情報のうち前記エラー内容に対応する前記確認情報のみが選択候補として提示された状態で、前記プロブレムリストに含める確認情報を選択することが可能である。
【００６９】
また、前記制御部１１は、前記表示領域Ａ２３に表示される前記確認情報のうち編集可能な前記第１確認情報であって、文章内に「（＠＠）」のような特定文字が含まれる確認情報については、当該特定文字の部分をユーザー操作に応じて編集する編集処理を実行することが可能である。なお、当該編集処理は前記制御部１１の編集処理部１１４によって実行される。一方、前記制御部１１は、前記表示領域Ａ２３に表示されている前記確認情報のうち、編集可能でない前記第２確認情報、又は、前記第１確認情報であっても文章内に「（＠＠）」の特定文字が含まれていない確認情報については、当該確認情報の編集を受け付けない。なお、本実施形態では、前記表示領域Ａ２３において前記確認情報における前記特定文字の領域が編集可能である場合について説明するが、前記制御部１１は、前記確認情報が前記表示領域Ａ２２に表示された状態で前記特定文字の領域を編集可能であってもよい。
【００７０】
例えば、図５に示されるように前記チェック結果情報Ｄ３１に含まれるエラー内容が「併用禁忌」及び「併用注意」である場合には、図７に示されるように、「併用禁忌」、「併用注意」に対応する前記確認情報が前記表示領域Ａ２３に提示される。なお、図７は、特定の患者について、同時期に服用する一又は複数の処方データに、「メナテトレノンカプセル１５ｍｇ」、「カロナール細粒２０％」、「ワーファリン錠１ｍｇ」、の３種類の薬品が含まれる場合の表示例である。
【００７１】
具体的に、前記エラー内容に「併用禁忌」が含まれているため、図７に示されるように、前記表示領域Ａ２３では、前記プロブレム情報Ｄ２１において「併用禁忌」のエラー内容に対応付けて記憶されている、分類が「Ｏ」である一つの確認情報と、分類が「Ａ」である一つの確認情報と、分類が「ＣＰ」である五つの確認情報とが表示される。また、前記エラー内容に「併用注意」が含まれているため、図７に示されるように、前記表示領域Ａ２３には、前記プロブレム情報Ｄ２１において「併用注意」のエラー内容に対応付けて記憶されている、分類が「Ｏ」である一つの確認情報と、分類が「Ａ」である三つの確認情報と、分類が「ＣＰ」である四つの確認情報とが表示される。
【００７２】
このように、前記制御部１１は、前記表示領域Ａ２３に、「併用禁忌」及び「併用注意」各々のエラー内容に対応する前記確認情報のみを提示し、他の前記確認情報を提示しない。従って、前記表示領域Ａ２３では、前記エラー内容に関係なく多数の前記確認情報が表示される場合に比べて、前記プロブレムリストの作成に必要な選択候補が絞り込まれているため、ユーザーが前記確認情報を選択するための作業効率が高くなる。
【００７３】
なお、例えば前記チェック結果情報Ｄ３１に「併用禁忌」のエラー内容のみが含まれる場合には、図８に示されるように、前記プロブレム情報Ｄ２１おいて「併用禁忌」のエラー内容に対応付けて記憶されている前記確認情報のみが前記表示領域Ａ２３で提示される。また、例えば前記チェック結果情報Ｄ３１に「併用注意」のエラー内容のみが含まれる場合には、図９に示されるように、前記プロブレム情報Ｄ２１において「併用注意」のエラー内容に対応付けて記憶されている、分類が「Ｏ」である一つの確認情報、分類が「Ａ」である三つの確認情報、及び分類が「ＣＰ」である四つの確認情報のみが前記表示領域Ａ２３で提示される。即ち、前記制御部１１は、前記エラー内容が前記併用禁忌である場合と前記併用禁忌である場合とで異なる前記確認情報を提示する。なお、ここでは、「相互作用」の前記チェック項目について、「併用禁忌」又は「併用注意」の異なるエラー内容が前記チェック結果情報Ｄ３１に含まれる場合に異なる前記確認情報が提示される場合を例に挙げて説明した。一方、前記チェック結果Ｄ３１に、「相互作用」又は「長期投与制限」のような異なる前記チェック項目のエラー内容が含まれる場合に異なる前記確認情報が提示されてもよい。
【００７４】
そして、前記制御部１１は、前記表示領域Ａ２３において前記確認情報のいずれか一又は複数を選択する操作が前記操作部Ａ２３１に対して行われた後、前記操作キーＫ２３１が操作されると、前記表示領域Ａ２３で前記操作部Ａ２３１によって選択されている前記確認情報を前記表示領域Ａ２２に表示されるプロブレムリストに追加する。
【００７５】
また、前記制御部１１は、前記表示領域Ａ２３において、複数の前記確認情報が選択された場合であって、当該確認情報の組み合わせが予め設定された特定の組み合わせである場合に、特定のメッセージを報知する報知処理を実行してもよい。例えば、前記特定の報知処理では、前記表示装置２４に前記確認情報の組み合わせの再確認を促すメッセージが表示される。これにより、例えば矛盾する組み合わせなどの予め設定された前記特定の組み合わせで前記確認情報が選択されることを抑止することが可能である。
【００７６】
なお、前記制御部１１は、前記管理画面Ｐ１の前記操作キーＫ１１が操作されると、前記表示領域Ａ２２で選択中の前記確認情報を当該表示領域Ａ２２から消去する。また、前記制御部１１は、前記管理画面Ｐ１の前記操作キーＫ１２が操作されると、前記表示領域Ａ２２に表示されている前記確認情報各々を含むプロブレムリストを前記表示領域Ａ２１に履歴として表示するための情報を前記情報記憶部１２３に記憶する。さらに、前記制御部１１は、前記管理画面Ｐ１の前記操作キーＫ１４が操作されると、前記表示領域Ａ２２に表示されている前記プロブレムリストを、前記操作部Ａ２２１の選択状態に応じた前記確認情報の確認有無の状況と共に前記情報記憶部１２３に記憶する。
【００７７】
＜ステップＳ２６＞
その後、ステップＳ２６において、前記制御部１１は、前記プロブレムリストの出力要求が行われたか否かを判断する。具体的に、前記制御部１１は、前記管理画面Ｐ１において前記操作キーＫ１３が操作された場合に前記出力要求が行われたと判断し（Ｓ２６：Ｙｅｓ側）、処理をステップＳ２７に移行させる。また、前記出力要求が行われていない場合（Ｓ２６：Ｎｏ側）、前記制御部１１は処理をステップＳ２６で待機させ、前記管理画面Ｐ１における前記プロブレムリストの編集操作を受け付ける。なお、前記服薬指導支援処理の実行中に前記管理画面Ｐ１を閉じるための操作が行われた場合、前記制御部１１は、前記服薬指導支援処理を終了する。
【００７８】
＜ステップＳ２７＞
ステップＳ２７において、前記制御部１１は、前記管理画面Ｐ１の現在の状態を仮登録情報として前記情報記憶部１２３に記憶させる。例えば、前記仮登録情報には、前記表示領域Ａ２２に表示されている前記確認情報及び当該確認情報の選択状態、前記表示領域Ａ２３に表示されている前記確認情報、当該確認情報の編集内容、及び当該確認情報の選択状態などが含まれる。
【００７９】
＜ステップＳ２８＞
ステップＳ２８において、前記制御部１１は、前記プロブレムリストを出力する出力ステップを実行する。なお、係る出力ステップは、前記制御部１１の出力処理部１１３によって実行される。具体的に、前記制御部１１は、前記表示領域Ａ２２の表示内容に基づいて前記プロブレムを印刷するための印刷画面を表示させ、ユーザーによる所定の印刷開始操作に応じて前記プロブレムリストを前記プリンター４に出力して印刷する。
【００８０】
ここに、図１０は前記プロブレムリストが印刷されたシートＰ２の一例を示している。図１０に示されるように、前記シートＰ２には、前記操作キーＫ１３が操作されたときに前記表示領域Ａ２２に表示されている前記確認情報を含むプロブレムリストが印刷される。なお、前記シートＰ２において、前記確認情報各々には、当該確認情報の分類、及び当該確認情報の確認の有無を記入するチェック欄などが対応付けて記載されている。
【００８１】
なお、前記クライアント端末２がスマートフォン又はタブレット端末などのモバイル端末である場合には、薬剤師が前記クライアント端末２の前記表示装置２４を参照しながら前記プロブレムリストに従った確認作業を行うことも考えられる。この場合、前記ステップＳ２８では、前記クライアント端末２に前記シートＰ２と同様の内容を表示するための表示処理が実行される。また、前記ステップＳ２８における出力処理の内容は、印刷又は表示に限らず、メール等によるデータ送信、記憶部１２への記憶などの他の出力態様であってもよい。
【００８２】
以上、説明したように、前記服薬指導支援システム１０では、前記プロブレムリストを作成する際に、複数の前記確認情報のうち前記処方チェックにおけるエラー内容に対応する前記確認情報のみが提示される。従って、ユーザーは、前記プロブレムリストの作成時に、不要な前記確認情報の提示が省略されており、必要な前記確認情報のみが提示された状態で、当該確認情報を選択して前記プロブレムリストを作成することができ、前記プロブレムリストの作成作業を効率的に行うことができる。
【符号の説明】
【００８３】
１  ：サーバー
１１：制御部
１２：記憶部
１３：通信Ｉ／Ｆ
１４：表示装置
１５：操作装置
１６：ドライブ装置
２  ：クライアント端末
２１：制御部
２２：記憶部
２３：通信Ｉ／Ｆ
２４：表示装置
２５：操作装置
２６：ドライブ装置
３  ：調剤機器
４  ：プリンター
１０：服薬指導支援システム
【図１】
2020160694.tif 000003
【図２】
2020160694.tif 000004
【図３】
2020160694.tif 000005
【図４】
2020160694.tif 000006
【図５】
2020160694.tif 000007
【図６】
2020160694.tif 000008
【図７】
2020160694.tif 000009
【図８】
2020160694.tif 000010
【図９】
2020160694.tif 000011
【図１０】
2020160694.tif 000012